(57)【特許請求の範囲】
【請求項１】
イベントの稼動実績を表示する稼動実績表示装置において、
過去に発生したイベントの中での異なる状態の開始時刻及び終了時刻情報を含む稼動実績情報よりなる１個又は複数個のヒストリカルファイルを検索し、前記イベントの開始より終了まで及び前記異なる状態の開始から終了の稼動実績をガントチャート表示する稼動実績表示部と、
ガントチャート表示に対応する稼働実績内容を詳細表示する詳細表示部とを具備し、
前記詳細表示部の詳細表示は、コンボボックスの形式で複数状態に対応して選択的に表示され、表示された状態に対応する前記ガントチャート表示が、他の状態と識別可能に表示されることを特徴とする稼動実績表示装置。
【請求項２】
前記選択的に表示された詳細表示内容を検索キーとした検索ダイアログを呼び出す呼出手段を具備した請求項１記載の稼動実績表示装置。
【請求項３】
前記イベントがプロセスのバッチ処理であり、前記異なる状態がバッチ処理における処方であることを特徴とする請求項１又は２記載の稼動実績表示装置。
【請求項４】
前記イベントが分散型制御システムにある操作監視ステーションの稼動情報であり、前記異なる状態がターゲットシステム環境下での監視操作又はバーチャルテスト環境下での監視操作であることを特徴とする請求項１乃至３のいずれかに記載の稼動実績表示装置。
【請求項５】
前記ヒストリカルファイルは、分散型制御システムの操作監視ステーションに収集されていることを特徴とする請求項１乃至４のいずれかに記載の稼動実績表示装置。
【請求項６】
前記ヒストリカルファイルは、分散型制御システムの操作監視ステーションに収集されている情報を汎用パソコンに転送したファイルであることを特徴とする請求項１乃至４のいずれかに記載の稼動実績表示装置。
【発明の詳細な説明】
【０００１】
【発明の属する技術分野】
本発明は、分散型制御システムにおける上位装置である操作監視ステーション（以下、ＨＩＳ）等が収集保管するヒストリカルファイルを検索し、過去に発生したイベントの稼動実績を視覚的に表示する、稼動実績表示装置に関する。
【０００２】
本発明の主たる適用対象は、バッチプロセス等のプロセスアラームや操作記録メッセージが保管されているヒストリカルファイル並びにＨＩＳ自身の稼動実績が保管されているヒストリカルファイル等である。
【０００３】
本発明はヒストリカルファイルが取得出来る環境であれば何処でも適用することができる。即ち、ヒストリカルファイルが作成されるＨＩＳ上ではなく、ヒストリカルファイルが転送された汎用ＰＣ上でも使用でき、リアルタイムの通信環境を必要としない。
【０００４】
図１３は、分散型制御システムの構成と、ヒストリカルファイルの収集・利用形態を示す機能ブロック図である。１は制御バス、２はこの制御バスに接続された上位装置であるＨＩＳである。
【０００５】
３ａ,３ｂ,３ｃ,…は同じくこの制御バス１に接続された下位装置である複数のフィールドコントロールステーション（以下、ＦＣＳ）であり、上位装置であるＨＩＳ２と通信する。４はＩ／Ｏバスであり、複数のフィールド機器５はこのＩ／Ｏバスを介して制御を担当する所定のＦＣＳと通信する。
【０００６】
各ＦＣＳの機能ブロックにおいて発生するプロセスデータ並びにプロセスアラームの内、プロセスアラームについてはタイムスタンプの付いたプロセスアラームメッセージとしてＨＩＳ２に収集され、これらをまとめたヒストリカルファイル２１が作成される。この例では４個のヒストリカルファイル群構成を示す。
【０００７】
２２はＨＩＳにおけるオペレータ操作を示し、この操作記録についてもタイムスタンプの付いた操作記録メッセージとしてヒストリカルファイル２１に記録保持される。
【０００８】
６は、汎用ＰＣ（汎用パソコン）であり、情報系ネットワーク（インターネット、イントラネット等）７を介してＨＩＳ２と通信可能な環境にある。６１はＨＩＳ２のヒストリカルファイル２１を転送したコピーのヒストリカルファイルである。６２は検索表示手段であり、ヒストリカルファイル６１にアクセスし所定の検索条件でデータを抽出して表示する機能を有する。
【従来の技術】
図１４は、従来の検索表示手段によるヒストリカルファイルの利用形態を説明する機能ブロック図である。従来の検索表示手段は、稼動実績を時間軸で視覚的に表示するような機能はなく、任意のフィルタリング条件を用いてヒストリカルファイルを検索し、検索結果をヒストリカルメッセージレポートウィンドウに表示する。
【０００９】
以下に、検索機能の操作手順を説明する。６２ａは検索条件を設定する検索ダイアログであり、検索したい期間とフィルタリング条件を設定する検索キー(メッセージ番号、発生元、ユーザ名、任意文字列等)を入力し、検索開始ボタンを押す。
ヒストリカルファイルを検索しフィルタリングされた検索結果がヒストリカルメッセージレポートウィンドウに６２ｂに表示される。
【００１０】
【発明が解決しようとする課題】
ヒストリカルメッセージレポートウィンドウに６２ｂの表示で明らかなように、従来のフィルタリング条件による検索結果は、時系列的なアラーム発生の種別とメッセージ文字の羅列表示である。
【００１１】
このような表示情報では、過去に発生したイベントの開始時刻及び終了時刻情報並びに当該イベントの中での異なる状態の開始時刻及び終了時刻情報を、イベントの開始より終了まで及び前記異なる状態の開始から終了の稼動実績を時間軸で視覚的に把握することは不可能であり、この羅列表示をもとに人間が作図しなおす必要があった。
【００１２】
バッチプロセスとは、ある原料を１つ以上の設備を使って定義された順序通りに処理し、期間内に有限量の物質を生産する過程を指している。このような稼動実績の時間軸表示は、バッチプロセスにおけるプラント生成物の追跡調査に役立つ。
【００１３】
この生産物には、バッチＩＤというラベルが付き、バッチＩＤはバッチプロセスから出力されるメッセージ(生産物を作成する過程に発生したメッセージ)にも付与される。このバッチＩＤを検索キーにすると、ヒストリカルメッセージから設備の使用過程や当該バッチに関する機器側のアラーム発生等を、発生・終了の時刻情報と共に知る事ができる。
【００１４】
本発明の目的は、ヒストリカルファイルから実績情報を取得し、結果をメッセージの羅列ではなく、稼動実績を時間軸で視覚的に表示する稼動実績表示装置を提供することにある。
【００１５】
【課題を解決するための手段】
このような目的を達成するための本発明の構成は次の通りである。
（１）  イベントの稼動実績を表示する稼動実績表示装置において、
過去に発生したイベントの中での異なる状態の開始時刻及び終了時刻情報を含む稼動実績情報よりなる１個又は複数個のヒストリカルファイルを検索し、前記イベントの開始より終了まで及び前記異なる状態の開始から終了の稼動実績をガントチャート表示する稼動実績表示部と、
ガントチャート表示に対応する稼働実績内容を詳細表示する詳細表示部とを具備し、
前記詳細表示部の詳細表示は、コンボボックスの形式で複数状態に対応して選択的に表示され、表示された状態に対応する前記ガントチャート表示が、他の状態と識別可能に表示されることを特徴とする稼動実績表示装置。
（２）  前記選択的に表示された詳細表示内容を検索キーとした検索ダイアログを呼び出す呼出手段を具備した（１）記載の稼動実績表示装置。
（３）  前記イベントがプロセスのバッチ処理であり、前記異なる状態がバッチ処理における処方であることを特徴とする（１）又は（２）記載の稼動実績表示装置。
（４）  前記イベントが分散型制御システムにある操作監視ステーションの稼動情報であり、前記異なる状態がターゲットシステム環境下での監視操作又はバーチャルテスト環境下での監視操作であることを特徴とする（１）乃至（３）のいずれかに記載の稼動実績表示装置。
（５）  前記ヒストリカルファイルは、分散型制御システムの操作監視ステーションに収集されていることを特徴とする（１）乃至（４）のいずれかに記載の稼動実績表示装置。
（６）  前記ヒストリカルファイルは、分散型制御システムの操作監視ステーションに収集されている情報を汎用パソコンに転送したファイルであることを特徴とする（１）乃至（４）のいずれかに記載の稼動実績表示装置。
【００１６】
【発明の実施の形態】
以下本発明実施態様を、図面を用いて説明する。図１は本発明を適用したバッチ稼動実績表示装置の一例を示す機能ブロック図であり、図１３及び図１４の従来装置で説明した要素と同一要素には同一符号を付して説明を省略する。
【００１７】
７は、本発明装置の第１ステップの機能であるバッチ稼動実績検索ダイアログであり、検索対象ＨＩＳの指定並びに検索期間を設定する。８はヒストリカルファイル検索・テーブル作成手段であり、バッチ稼動実績検索ダイアログ７の検索開始ボタンを押す事により起動される。
【００１８】
ヒストリカルファイル検索・テーブル作成手段８は、ヒストリカルファイル６１にアクセスし、バッチＩＤ単位に処方名、開始時刻、終了時刻を格納したバッチＩＤ別稼動実績テーブル９を作成する。
【００１９】
１０は、バッチ稼動実績表示ウィンドウであり、バッチＩＤ別稼動実績テーブル９の格納情報を取得して表示する。表示項目の１０１は連続番号、１０２はバッチＩＤ名、１０３は検索ダイアログ呼び出しボタン、１０４は時間軸表示で汎用的に使用されるガントチャート表示による稼動実績表示部、１０５は詳細表示部であり、ガントチャート表示の内容（処方名、開始時刻、終了時刻）を文字列で表示する。
【００２０】
このバッチ稼動実績表示ウィンドウ１０におけるバッチＩＤ名１０２は、バッチプロセスを実行した時に付加される識別子である。プラントでは，複数のバッチプロセスが様々な設備や機器を使用して実行される。
【００２１】
このバッチ稼動実績表示ウィンドウ１０における検索ダイアログ呼出しボタン１０３の機能は、現在選択されている情報(バッチＩＤ、期間、詳細)をキーにし、ヒストリカルファイルをフィルタリング検索し、検索結果を別のヒストリカルメッセージレポートウィンドウ等ウィンドウに表示するもので、機能としては図１４で説明した従来装置の機能に近いものであるが、ヒストリカルファイルを検索する為の面倒な検索キーを、ヒストリカルメッセージレポートウィンドウ等の検索ダイアログで打ち込む必要がない。請求範囲の呼出手段は、検索ダイアログ呼出しボタン１０３である。
【００２２】
このバッチ稼動実績表示ウィンドウ１０における稼動実績表示部１０４のガントチャート表示は、コンボボックス機能で選択されている項目の稼動状態を常に赤色等の視覚し易い色で表示され、選択されていない項目の状態は緑色等の前記赤色と識別可能な色で表示される。
【００２３】
このバッチ稼動実績表示ウィンドウ１０における詳細表示部１０５の表示は、コンボボックスの形式で表示される。コンボボックスには、1バッチにおけるユニット稼動順(設備稼働順)に名称、稼働時間、開始時刻、終了時刻情報が入っている。
【００２４】
ヒストリカルファイル検索・テーブル作成手段８によるバッチＩＤ別稼動実績テーブル９を作成する手順の説明に先立ち、バッチプロセスの特徴を補足説明する。
【００２５】
バッチプロセスは、有限量の物質を生産する為に、処方手順と設備とパラメータ値の情報がセットされた処方を使用し、この処方には処方名が付される。ユニット名は、設備シーケンス単位の設備名称である。従って、バッチを実行すると、処方が実行され、処方手順により、ユニットが順次実行される。つまり、処方の開始と終了の期間内に、ユニットが順次実行される。
【００２６】
図２は上記説明のイメージ図である。処方名「Fried_eggs」のバッチプロセスは、処方手順として、計量シーケンスでは計量設備「名称：UTPB0001」が使用され、反応シーケンスでは反応設備「名称：UTPB0002」が使用される。
【００２７】
図３はこの処方の実行順を時間軸で表示したガントチャートであり、（Ａ）は処方「処方名：Fried_eggs」の開始から終了までの全体を示すガントチャート、（Ｂ）は計量シーケンス「設備名称：UTPB0001」の開始から終了までを示すガントチャート、（Ｃ）は反応シーケンス「設備名称：UTPB0002」の開始から終了までを示すガントチャートである。
【００２８】
次に、ヒストリカルファイルより本発明の稼動実績表示に必要な情報の抽出例について図４により説明する。図４（Ａ）は、バッチＩＤが「AB-011201-01」で処方名「Fried_eggs」の処方起動メッセージ▲１▼と終了メッセージ▲２▼のヒストリカルファイルの内容を示したものであり、▲１▼のメッセージ番号「1421」と▲２▼のメッセージ番号「1422」のように、両者はメッセージ番号が異なっている。
【００２９】
同様に、ユニット(設備)の開始と終了もメッセージ番号が異なっている。本発明ではこのメッセージ番号が異なることを利用して、ヒストリカルファイル検索・テーブル作成手段８はヒストリカルファイル６１の検索からバッチ稼動実績を取得し、ＩＤ別稼動実績テーブル９を作成する。
【００３０】
図５は、ヒストリカルファイル検索・テーブル作成手段８の信号処理手順を示すフローチャートである。まずバッチ稼動実績検索ダイアログ７の検索開始ボタンが押されると、ステップＦ１で処理が開始され、ステップＦ２でテーブル９を初期化した後ヒストリカルファイルのメッセージ読み込み検索がスタートし、ステップＦ３で処方の開始時刻がチェックされ、開始時刻でなければステップＦ４でメッセージを読み飛ばしてＦ３の処理を繰り返す。
【００３１】
ステップＦ３のチェックで開始時刻であれば、ステップＦ５に進み終了時刻がチェックされ、終了時刻でなければステップＦ６に進み開始あるいは終了に関するメッセージ番号がチェックされ、メッセージ番号でなければステップＦ５からの処理を繰り返し、開始あるいは終了に関するメッセージ番号であればステップＦ８に進み、テーブルに新規登録する。
【００３２】
ステップテップＦ７のチェックで、そのメッセージ番号が開始のメッセージ番号でない場合（終了のメッセージ番号）にはステップＦ９に進み、この終了のメッセージに対応する開始メッセージがテーブルに存在するか否かがチェックされ、存在する場合にはステップＦ１０に進み、当該開始メッセージの終了時刻にテーブルに登録し、この終了のメッセージに対応する開始メッセージがテーブルに存在しない場合にはステップＦ１１に進み、開始時刻なし（検索開始の設定時刻より前からシーケンスが継続している場合）でテーブルに新規登録する。
【００３３】
ステップＦ８、ステップＦ１０、ステップＦ１１の処理が終了すると、ステップＦ５の処理に戻り前記処理を繰り返し、検索終了時刻であればステップＦ１２に進みテーブル９の結果をバッチ稼動実績表示ウィンドウ１０に表示してステップＦ１３に進み一連の処理を終了する。
【００３４】
図６は、バッチ稼動実績表示ウィンドウ１０におけるコンボボックスによる詳細情報の選択とガントチャート表示の色分けを整理した表であり、選択中のシーケンスは赤で、選択中でない（表示されていない）シーケンスは緑の表示となる。なお詳細表示のデフォルトは処方名全体が選択され、開始から終了まで赤のガントチャート表示となる。
【００３５】
図７は、同じくバッチ稼動実績表示ウィンドウ１０におけるコンボボックスによる詳細情報の表示内容を整理した表であり、名称、稼働時間、開始、終了の表示内容の構成例である。
【００３６】
以上はイベントの例としてバッチプロセスの処方に注目した稼動実績の表示に本発明を適用した実施例であるが、同様な手段を用いることによって、制御システムが複数のＨＩＳを有する場合に、ＨＩＳ自身の稼動実績情報を持つヒストリカルファイルを対象として、ＨＩＳ毎の稼動実績を表示することができる。この稼動実績表示により、どのＨＩＳがどれだけの期間稼動してプラント機器側が出力するアラームを収集していたのかが視覚的に把握可能となる。
【００３７】
図８は、制御バス１に２台のＨＩＳが接続された分散型制御システムを示す機能ブロック図であり、図１３で説明した要素と同一の構成要素には同一符号を付して説明を省略する。２ａ、２ｂは制御バス１に接続された２台のＨＩＳである。２１ａ、２１ｂは各ＨＩＳ内のヒストリカルファイル、２２ａ、２２ｂは各ＨＩＳにおけるオペレータの操作である。
【００３８】
汎用ＰＣ６において、６１はＨＩＳ２ａ、２ｂより転送されたヒストリカルファイルであり、各ＨＩＳに対応する２個のヒストリカルファイル６１ａ、６１ｂを含んでいる。
【００３９】
ＨＩＳ２ａのヒストリカルファイル６１ａとＨＩＳ２ｂのヒストリカルファイル６１ｂの中身はほとんど同一である。しかし、ＨＩＳが停止しているとメッセージが収集出来ない為、ＨＩＳの稼動実績が表示出来れば、見たい期間のヒストリカルメッセージはどのＨＩＳのヒストリカルファイルを参照すれば良いのかが分かり、管理作業の効率アップができる。
【００４０】
ＨＩＳの稼動実績を知るには、該当するＨＩＳのヒストリカルファイルからＨＩＳ開始と終了メッセージを検索することによって、その稼動実績情報を取得出来る。図９の機能ブロック図により処理手順を説明する。機能としては図１とほぼ同一であり、検索の対象イベントがＨＩＳの稼動情報である点が異なる。
【００４１】
１１は、第１ステップの機能であるＨＩＳ稼動実績検索ダイアログであり、検索期間を設定する。１２はヒストリカルファイル検索・テーブル作成手段であり、ＨＩＳ稼動実績検索ダイアログ１１の検索開始ボタンを押すことにより起動される。
【００４２】
ヒストリカルファイル検索・テーブル作成手段１２は、ヒストリカルファイル６１内のヒストリカルファイル６１ａ、６１ｂにアクセスし、ＨＩＳステーション名単位に状態（TARGET又はVIRTUAL）、開始時刻終了時刻を格納したＨＩＳ別稼動実績テーブル１３を作成する。
【００４３】
１４は、ＨＩＳ稼動実績表示ウィンドウであり、ＨＩＳ別稼動実績テーブル１３の格納情報を取得して表示される。表示項目の１４１は連続番号、１４２はＨＩＳステーション名、１４３は検索ダイアログ呼び出しボタン、１４４は時間軸表示で汎用的に使用されるガントチャート表示によるＨＩＳの稼動実績表示部、１４５は詳細表示部であり、ガントチャート表示の内容（状態、開始時刻、終了時刻）を文字列で表示する。
【００４４】
このＨＩＳ稼動実績表示ウィンドウにおける検索ダイアログ呼出しボタン１４３の機能は、コンボボックスで現在選択されている詳細情報(状態、期間、)をキーにし、ヒストリカルファイルをフィルタリング検索し、検索結果を別のヒストリカルメッセージレポートウィンドウ等ウィンドウに表示する。
【００４５】
このＨＩＳ稼動実績表示ウィンドウにおける稼動実績表示部１４４のガントチャート表示は、コンボボックス機能で選択されている項目の稼動状態を常に赤色等の視覚し易い色で表示し、選択されていない項目の状態は緑色等の前記赤色と識別可能な色で表示される。
【００４６】
このＨＩＳ稼動実績表示ウィンドウにおける詳細表示部１４５の表示は、コンボボックスの形式で表示される。コンボボックスには、ＨＩＳの稼動状態、即ち全稼動（ALL）、ターゲットシステムとしての稼動（TARGET）、バーチャルテスト環境としての稼動（VIRTUAL）につき、稼動順に状態、稼働時間、開始時刻、終了時刻情報が入っている。
【００４７】
ヒストリカルファイル検索・テーブル作成手段８によるバッチＩＤ別稼動実績テーブル１３を作成する手順は、図５のフローチャートで説明した手順と同一であるので、重複説明を省略する。
【００４８】
前記のターゲットシステムの環境下とは、実際にプラント機器と接続して操業している環境を指す。バーチャルテスト環境下とは、プラントとは接続しないで、仮想システム環境下でシミュレーションしている環境を指している。従って、ターゲットシステムとバーチャルテストでは根本的に操作対象が異なるので、明示的に表示を分ける必要がある。
【００４９】
次に、ヒストリカルファイルよりＨＩＳの稼動実績表示に必要な情報の抽出について図１０により説明する。図１０（Ａ）は、検索対象ＨＩＳ（HIS0164）の機能スタートメッセージ▲１▼と機能停止メッセージ▲２▼のヒストリカルファイルの内容を示したものであり、▲１▼のメッセージ番号「0236」と▲２▼のメッセージ番号「0231」のように、両者はメッセージ番号が異なっている。
【００５０】
このメッセージ番号が異なることを利用して、ヒストリカルファイル検索・テーブル作成手段１２は、ヒストリカルファイルの検索からＨＩＳ別の稼動実績を取得し、ＨＩＳ別稼動実績テーブル１３を作成する。
【００５１】
このように、ＨＩＳの稼動実績もヒストリカルメッセージを検索し、メッセージ番号が異なることを利用することによって、バッチ稼動実績で作成したロジックをそのまま流用して表示することができる。
【００５２】
図１１は、バッチ稼動実績表示ウィンドウ１０におけるコンボボックスによる詳細情報の選択とガントチャート表示の色分けを整理した表であり、選択中の状態は赤で、選択中でない（表示されていない）状態の内ターゲットシステム環境下での操作監視状態は緑、バーチャルテスト環境下での操作監視は青の表示となる。なお詳細表示のデフォルトはＨＩＳの稼動開始から終了までの全稼動期間が選択され、開始から終了まで赤のガントチャート表示となる。
【００５３】
図１２は、同じくバッチ稼動実績表示ウィンドウ１０におけるコンボボックスによる詳細情報の表示内容を整理した表であり、状態、稼働時間、開始、終了の表示内容の構成例である。
【００５４】
以上説明した実施例は、ＨＩＳが保有するヒストリカルファイルにおけるメッセージ発生時のタイムスタンプを利用し、表記としてガントチャートを用いて、バッチあるいはＨＩＳの稼動実績を表示するものであるが、ヒストリカルファイルはＨＩＳが保有するものに限らず、タイムスタンプがあり、かつ識別可能なメッセージを有する起動と停止があるイベントに関するヒストリカルファイルであれば、全て同じロジックでヒストリカルファイルを検索して稼動実績を表示することが可能である。
【００５５】
これにより、ヒストリカルファイルが存在する環境ならば、分散型制御システム特有のリアルタイムの通信環境が必要なく、事務系のＰＣ上でも稼動実績を表示する事が可能である。
【００５６】
【発明の効果】
以上説明したことから明らかなように、本発明によれば次のような効果が得られる。
（１）バッチの稼動実績がガントチャート表示できることにより、バッチプロセスの時間の流れが一目で分かる様になる。更に当該バッチで使用したユニット(設備)の一覧、ユニット使用順、ユニット(設備)の占有時間も一目で分る様になる。
【００５７】
（２）複数ＨＩＳ稼動環境においてＨＩＳ毎の稼動実績をガントチャート表示することができ、この稼動実績表示により、どのＨＩＳがどれだけの期間稼動してプラント機器側が出力するアラームを収集していたのかが視覚的に把握可能となる。
【００５８】
（３）稼動実績表示ウィンドウの検索ボタンを押すことにより、選択されている稼動実績をキーにしてヒストリカルファイルを検索し、検索結果をヒストリカルメッセージレポートウィンドウ等に表示できるので、ヒストリカルファイルを検索する為の面倒な検索キーを従来のような検索ダイアログで入力する必要がない。
【００５９】
（４）本発明は、ヒストリカルファイルが存在すれば、どのＰＣ上でも実行でき、他のソフトウェアあるいはデータベースは必要がない。又分散型制御システム固有の通信環境は必要なく、オフラインで任意のタイミングで実行可能である。
【図面の簡単な説明】
【図１】本発明を適用したバッチ稼動実績表示装置の一例を示す機能ブロック図である。
【図２】バッチプロセスの特徴を補足説明するための、処方例の説明図である。
【図３】図２の処方例のガントチャート表示図である。
【図４】ヒストリカルファイルより、バッチ稼動実績表示に必要な情報の抽出例の説明図である。
【図５】ヒストリカルファイル検索・テーブル作成手段の信号処理手順を示すフローチャートである。
【図６】バッチ稼動実績表示ウィンドウにおける、コンボボックスによる詳細情報の選択とガントチャート表示の色分けを整理した表である。
【図７】バッチ稼動実績表示ウィンドウにおける、コンボボックスによる詳細情報の表示内容を整理した表である。
【図８】複数のＨＩＳを有する分散型制御システムの構成と、ヒストリカルファイルの作成利用形態を示す機能ブロック図である。
【図９】本発明を適用したＨＩＳ稼動実績表示装置の一例を示す機能ブロック図である。
【図１０】ヒストリカルファイルより、ＨＩＳ稼動実績表示に必要な情報の抽出例の説明図である。
【図１１】ＨＩＳ稼動実績表示ウィンドウにおける、コンボボックスによる詳細情報の選択とガントチャート表示の色分けを整理した表である。
【図１２】ＨＩＳ稼動実績表示ウィンドウにおける、コンボボックスによる詳細情報の表示内容を整理した表である。
【図１３】分散型制御システムの構成と、ヒストリカルファイルの収集・利用形態を示す機能ブロック図である。
【図１４】従来の検索表示手段によるヒストリカルファイルの利用形態を説明する機能ブロック図である。
【符号の説明】
７  バッチ稼動実績検索ダイアログ
８  ヒストリカルファイル検索・テーブル作成手段
９  バッチＩＤ別稼動実績テーブル
１０  バッチ稼動実績表示ウィンドウ
６１  ヒストリカルファイル
１０４  稼動実績表示部
【図１】
0003705433.tif 000002
【図２】
0003705433.tif 000003
【図３】
0003705433.tif 000004
【図４】
0003705433.tif 000005
【図５】
0003705433.tif 000006
【図６】
0003705433.tif 000007
【図７】
0003705433.tif 000008
【図８】
0003705433.tif 000009
【図９】
0003705433.tif 000010
【図１０】
0003705433.tif 000011
【図１１】
0003705433.tif 000012
【図１２】
0003705433.tif 000013
【図１３】
0003705433.tif 000014
【図１４】
0003705433.tif 000015